(57)【要約】【課題】傘を持参する際、使用者のウエストベルトに保持させておくことにより、一々手で持つ必要がなく、携帯電話等の対応が迅速に行え、また電車やバスに乗った時には傘を保持したまま新聞や本等が読み易くなるようにした携帯用傘収納保持具を提供する。【解決手段】。折り畳んだ傘２を収納するように形成された細長い傘収納袋３と、傘収納袋３の口部３ａの外面側に固着されていて、使用者ＭのウエストベルトＷｂに着脱自在に取り付けられるウエストベルト用取付部材４とからなる。【選択図】図１
0003108852.tif 000002
【実用新案登録請求の範囲】
【請求項１】
折り畳んだ傘を収納するように形成された細長い傘収納袋と、この傘収納袋の口部外面側に固着されていて、使用者のウエストベルトに着脱自在に取り付けられるウエストベルト用取付部材とからなる携帯用傘収納保持具。
【請求項２】
前記ウエストベルト用取付部材に着脱自在に取り付けられるようになっていて、使用者が着用するショルダーバッグやリュックサック等のショルダーベルトに着脱自在に取り付けられるショルダーベルト用取付部材を備えた請求項１に記載の携帯用傘収納保持具。
【請求項３】
前記傘収納袋の上端部位とその下方所要部位とには、この傘収納袋を小さく丸めて折り畳んだ状態に保持するための、互いに係止可能な係止布を取り付けてなる請求項１又は２に記載の携帯用傘収納保持具。
【請求項４】
前記ウエストベルト用取付部材は方形状基材を二つ折りにして開閉自在としたものからなり、この二つ折り基材の一方の半片の外面を傘収納袋の口部外面側に固着し、両半片の夫々内面先端部に互いに係止可能な係止布を取り付け、両半片を使用者のウエストベルトに跨がらせて両係止布を互いに係止させることにより取り付けるようにしてなる請求項１〜３の何れかに記載の携帯用傘収納保持具。
【請求項５】
前記ショルダーベルト用取付部材は帯状基材からなるもので、その一方の側面の一端部と他方の側面の他端部とに互いに係止可能な係止布を取り付け、この帯状基材からなる取付部材をウエストベルト用取付部材の両半片間に挿通させて、その両端部をショルダーベルトに抱き合わせて両係止布を互いに係止させることにより取り付けるようにしてなる請求項４に記載の携帯用傘収納保持具。
【考案の詳細な説明】
【技術分野】
【０００１】
本考案は、携帯用の傘収納保持具に関するものである。
【背景技術】
【０００２】
例えば、仕事等で朝方に家を出る際、未だ雨は降っていないが、天気予報では昼頃から雨となるような時には傘を持って行くことがある。そのような時に、手持ちバッグや鞄が必要であれば、一方の手にバッグ等を持ち、他方の手に傘を持つことになるが、そのような状態で携帯電話がかかってきたり、また電話をしようとすれば、バッグ等か傘の何れかを適当な場所に置いて電話をとることになるため、それに手間取って対応が遅くなる、といった不都合がある。また、電車やバスに乗った時に立ったまま傘を持っている状態では新聞や本等を読みたくてもなかなか読み難いことがある。
【考案の開示】
【考案が解決しようとする課題】
【０００３】
本考案は、上記のような事情に鑑み、傘を持参する際、使用者のウエストベルトに保持させておくことにより、いちいち手で持つ必要がなく、携帯電話等の対応が迅速に行え、また電車やバスに乗った時には傘を保持したまま新聞や本等が読み易くなるようにした携帯用傘収納保持具を提供することを目的とする。
【課題を解決するための手段】
【０００４】
上記課題を解決するための手段を、後述する実施形態の参照符号を付して説明すると、請求項１に係る考案の携帯用傘収納保持具は、折り畳んだ傘２を収納するように形成された細長い傘収納袋３と、この傘収納袋３の口部３ａ外面側に固着されていて、使用者ＭのウエストベルトＷｂに着脱自在に取り付けられるウエストベルト用取付部材４とからなることを特徴とする。
【０００５】
請求項２は、請求項１に記載の携帯用傘収納保持具において、前記ウエストベルト用取付部材４に着脱自在に取り付けられるようになっていて、使用者Ｍが着用するショルダーバッグＳやリュックサック等のショルダーベルトＳｂに着脱自在に取り付けられるショルダーベルト用取付部材５を備えたことを特徴とする。
【０００６】
請求項３は、請求項１又は２に記載の携帯用傘収納保持具において、前記傘収納袋３の上端部位とその下方所要部位とには、この傘収納袋３を小さく丸めて折り畳んだ状態に保持するための、互いに係止可能な係止布１１ａ，１１ｂを取り付けてなることを特徴とする。
【０００７】
請求項４は、請求項１〜３の何れかに記載の携帯用傘収納保持具において、前記ウエストベルト用取付部材４は方形状基材６を二つ折りにして開閉自在としたものからなり、この二つ折り基材６の一方の半片６ａの外面を傘収納袋３の口部３ａ外面側に固着し、両半片６ａ，６ｂの夫々内面先端部に互いに係止可能な係止布８ａ，８ｂを取り付け、両半片６ａ，６ｂを使用者のウエストベルトＷｂに跨がらせて両係止布８ａ，８ｂを互いに係止させることにより取り付けるようにしてなることを特徴とする。
【０００８】
請求項５は、請求項４に記載の携帯用傘収納保持具において、前記ショルダーベルト用取付部材５は帯状基材からなるもので、その一方の側面の一端部と他方の側面の他端部とに互いに係止可能な係止布９ａ，９ｂを取り付け、この帯状基材からなる取付部材５をウエストベルト用取付部材４の両半片６ａ，６ｂ間に挿通させて、その両端部をショルダーベルトＳｂに抱き合わせて両係止布９ａ，９ｂを互いに係止させることにより取り付けるようにしてなることを特徴とする。
【考案の効果】
【０００９】
上記解決手段による発明の効果を、後述する実施形態の参照符号を付して説明すると、請求項１に係る考案のによれば、ウエストベルト用取付部材４を使用者ＭのウエストベルトＷｂに取り付けることにより、傘２を傘収納袋３に収納保持させることができるから、傘２を携帯する時には、いちいち傘２を手で持つ必要がなく、而してそのような時に携帯電話がかかってきたり、また電話をしようとする際には携帯電話等の対応を迅速に行うことができる。また傘を携帯して電車やバスに乗った時には、片方の手にバッグ等を持っていても、新聞や本等が読み易くなり、そしてこの傘収納袋３に傘２を収納しておけば、電車等に傘２を置き忘れることがない。
【００１０】
請求項２に係る考案によれば、使用者ＭがショルダーバッグＳやリュックサック等を肩に掛けて歩く場合には、この携帯用傘収納保持具１は、そのショルダーバッグＳやリュックサック等のショルダーベルトＳｂに簡単容易に取り付けて使用することができる。
【００１１】
請求項３に係る考案によれば、傘収納保持具１を使用しない時には、収納袋３をその下端部から上端部側へ螺旋巻きし、小さく丸めて折り畳んだ状態で両係止布１１ａ，１１ｂを互いに係止させることにより、この傘収納袋３を折り畳んだ状態に保持することができるから、この傘収納保持具１の保管に場所を取らず、コンパクトに体裁良く保管することができる。
【００１２】
請求項４に係る考案によれば、ウエストベルト用取付部材４の構造が極めて簡単であるから、製作が容易でコストを安くできる。
【００１３】
請求項５に係る考案によれば、ショルダーベルト用取付部材５の構造が極めて簡単であるから、製作が容易でコストを安くできる。
【考案を実施するための最良の形態】
【００１４】
以下に本考案の好適な実施形態について図面に基づいて説明すると、図１は傘２を使用者ＭのウエストベルトＷｂに保持させるようにした携帯用傘収納保持具１を示し、図２は傘２を使用者Ｍの肩に掛けたショルダーバッグＳのショルダーベルトＳｂに保持させるようにした携帯用傘収納保持具１を示す。また図３の(a) は携帯用傘収納保持具１を示す斜視図、(b) はショルダーベルト用取付部材５を示す斜視図、(c) はショルダーベルト用取付部材５の使用方法を示す平面図である。また図４の(a) 〜(c) は携帯用傘収納保持具１の使用方法を説明する説明図、図５の(a) は携帯用傘収納保持具１の縦断面図、(b) は折り畳んだ状態での傘収納保持具１の側面図である。
【００１５】
この携帯用傘収納保持具１は、折り畳んだ傘２を収納するように形成された細長い傘収納袋３と、この傘収納袋３の口部３ａの外面側に固着されていて、使用者ＭのウエストベルトＷｂに着脱自在に取り付けられるウエストベルト用取付部材４と、このウエストベルト用取付部材４に着脱自在に取り付けられるようになっていて、使用者が着用するショルダーバッグＳのショルダーベルトＳｂに着脱自在に取り付けられるショルダーベルト用取付部材５と、から構成される。
【００１６】
上記傘収納保持具１の構造について更に詳しく説明すれば、傘収納袋３は、例えば合成繊維の織物生地やナイロンシート等からなる丈夫で可撓性を有する材料によって、折り畳んだ傘２を図１，図２に示すような状態に収納できる細長の袋状体に形成されたもので、下端部（先端部）３ｂは閉塞され、上端部の口部３ａは、例えばキャンバス等からなる厚手の可撓性材料で形成された円環状の口部補強材１０に被嵌させた状態で当該口部補強材１０に一体的に取り付けられている（図５の(a) 参照）。この口部補強材１０は傘２が入り易いように傘収納袋３の口部３ａを広げる機能も有する。
【００１７】
ウエストベルト用取付部材４は、例えば合成皮革やキャンバス等からなる方形状の基材６を二つ折りにして、その二つの半片６ａ，６ｂを開閉自在としてなるもので、この二つ折り基材６の一方の半片６ａの外面を、図３の(a) 及び図５の(a) に示すように傘収納袋３の口部３ａ外面側に当接させた状態で連結具７により口部補強材５に一体的に連結して固着している。この場合、連結具７に代えて、糸等で縫い付けるようにしてもよい。
【００１８】
そして、このウエストベルト用取付部材４には、図４の(a) 及び図５の(a) ，(b) から分かるように、両半片６ａ，６ｂの夫々内面先端部に互いに係止可能な係止布８ａ，８ｂが取り付けられていて、両半片６ａ，６ｂを使用者ＭのウエストベルトＷｂに跨がらせるようにした状態で両係止布８ａ，８ｂを互いに係止させることにより、このウエストベルト用取付部材４をウエストベルトＷｂに取り付けるようになっている。この係止布８ａ，８ｂとしては、マジックテープ（登録商標名）を使用する。
【００１９】
また、ショルダーベルト用取付部材５は、例えば合成皮革やキャンバス（麻布）等からなる帯状基材からなるもので、図３の(b) ，(c) 及び図４の(b) ，(c) に示すように、この帯状基材からなる取付部材５の一方の側面の一端部と他方の側面の他端部とに互いに係止可能な係止布９ａ，９ｂが取り付けられていて、この取付部材５をウエストベルト用取付部材４の両半片６ａ，６ｂ間に挿通させ、この取付部材５の両端部を使用者が着用するショルダーバッグＳのショルダーベルトＳｂに抱き合わせて、両係止布９ａ，９ｂを互いに係止させることにより、ショルダーベルト用取付部材５をショルダーベルトＳｂに取り付けるようになっている。尚、この係止布９ａ，９ｂとしても、マジックテープ（登録商標名）を使用する。
【００２０】
また、この携帯用傘収納保持具１は、図５の(a) ，(b) から分かるように、傘収納袋３の上端部位、例えば口部３ａの下端近傍と、その下方所要部位とには、この傘収納袋３を小さく丸めて折り畳んだ状態に保持するための、互いに係止可能な係止布１１ａ，１１ｂが取り付けられている。従って、傘収納保持具１を使用しない時には、図５の(b) に示すように、傘収納袋３をその下端部から上端部側へ螺旋巻きしながら小さく丸めて折り畳んだ状態で両係止布１１ａ，１１ｂを互いに係止させることにより、この傘収納袋３を折り畳んだ状態に保持することができる。
【００２１】
上記のように構成される携帯用傘収納保持具１は、通常は、図１に示すように使用者Ｍが装着しているウエストベルトＷｂに取り付けて使用する。この場合は、ウエストベルト用取付部材４を形成している二つ折り基材６の両半片６ａ，６ｂを開いた状態で、図５の(a) に示すように使用者ＭのウエストベルトＷｂに跨がらせるようにした後、係止布８ａ，８ｂを互いに係止させることにより、このウエストベルト用取付部材４をウエストベルトＷｂに簡単容易に取り付けることができる。そして、折り畳んだ傘２を傘収納袋３内にその口部３ａより挿入すればよい。この場合、ショルダーベルト用取付部材５は使用しないため、ウエストベルト用取付部材４から外しておく。
【００２２】
このようにウエストベルト用取付部材４を使用者ＭのウエストベルトＷｂに取り付けることによって、傘２を傘収納袋３に収納保持させることができるから、傘２を携帯する時には、いちいち傘２を手で持つ必要がなく、携帯電話等の対応を迅速に行うことができ、また傘２を携帯して電車やバスに乗った時に、片方の手にバッグ等を持っていても、新聞や本等が読み易くなる。
【００２３】
また、使用者ＭがショルダーバッグＳやリュックサック等を肩に掛けて歩く場合には、携帯用傘収納保持具１は、そのショルダーバッグＳやリュックサック等のショルダーベルトＳｂに取り付けて使用することができる。即ち、この場合は、ウエストベルト用取付部材４を形成する二つ折り基材６の両半片６ａ，６ｂを開いて、図４の(b) ，(c) に示すように、帯状基材からなる取付部材５を、ウエストベルト用取付部材４の両半片６ａ，６ｂ間に挿通して、この取付部材５の両端部を、使用者が着用しているショルダーバッグＳ等のショルダーベルトＳｂに抱き合わせて、両係止布９ａ，９ｂを互いに係止させることにより、ショルダーベルト用取付部材５をショルダーベルトＳｂに簡単容易に取り付けることができる。こうして取り付けた傘収納保持具１の傘収納袋３に折り畳んだ傘２をその口部３ａより挿入すればよい。
【００２４】
また、傘収納保持具１を使用しない時は、収納袋３をその下端部から上端部側へ螺旋巻きし、小さく丸めて折り畳んだ状態で両係止布１１ａ，１１ｂを互いに係止させることにより、この傘収納袋３を折り畳んだ状態に保持することができるから、この傘収納保持具１の保管に場所を取らず、コンパクトに体裁良く何処にでも保管することができる。
【００２５】
以上の実施形態では、ウエストベルト用取付部材４を、方形状基材を二つ折りにして開閉自在なものとし、この二つ折り基材の一方の半片の外面を傘収納袋の口部外面に固着し、両半片の夫々内面先端部に互いに係止可能な係止布を取り付け、両半片を使用者の腰ベルトに跨がらせて両係止布を互いに係止させるようにして取り付ける構造としているが、ウエストベルト用取付部材４の取付構造は、この実施形態の構造に限るものではなく、他の任意の取付構造にすることができる。但し、この実施形態の取付構造にすれば、構造が極めて簡単であるから、製作が容易でコストを安くできる。
【００２６】
またショルダーベルト用取付部材５も実施形態の構造に限らず、他の適当な取付構造にすることができるが、この実施形態の取付構造にすれば、構造が極めて簡単であるから、製作が容易でコストを一層安くすることができる。
【図面の簡単な説明】
【００２７】
【図１】傘をウエストベルトに保持させるようにした携帯用傘収納保持具を示す。
【図２】傘を使用者の肩に掛けたショルダーバッグのショルダーベルトに保持させるようにした携帯用傘収納保持具を示す。
【図３】(a) は携帯用傘収納保持具を示す斜視図、(b) はショルダーベルト用取付部材の斜視図、(c) はショルダーベルト用取付部材の使用方法を示す平面図である。
【図４】(a) 〜(c) は携帯用傘収納保持具の使用方法を説明する説明図である。
【図５】(a) は携帯用傘収納保持具の縦断面図、(b) は折り畳んだ状態での傘収納保持具の側面図である。
【符号の説明】
【００２８】
１                携帯用傘収納保持具
２                傘
３                傘収納袋
３ａ              傘収納袋の口部
Ｗｂ              ウエストベルト
Ｓｂ              ショルダーベルト
４                ウエストベルト用取付部材
５                ショルダーベルト用取付部材
８ａ，８ｂ        係止布
９ａ，９ｂ        係止布
１１ａ，１１ｂ    係止布
【図１】
0003108852.tif 000003
【図２】
0003108852.tif 000004
【図３】
0003108852.tif 000005
【図４】
0003108852.tif 000006
【図５】
0003108852.tif 000007